(57)【要約】【課題】子供等の特定の使用者に、その者に対応しないマッサージが行われてしまうことがないマッサージ機を提供する。【解決手段】マッサージ機が有する機能を制御する機能制御部１３を備えたマッサージ機１において、機能制御部１３は、モード開始のためにロック解除Ｌ１、Ｌ２が必要なロックされた機能限定モード２０、フル機能モード２１を含んでいる。【選択図】図６
2007325658.tif 000002
【特許請求の範囲】
【請求項１】
マッサージ機が有する機能を制御する機能制御部を備えたマッサージ機において、
前記機能制御部は、前記機能の制御のための複数の異なる制御モードを有し、
複数の前記制御モードは、モード開始のためにロック解除が必要なロックされた制御モードを含むことを特徴とするマッサージ機。
【請求項２】
複数の前記制御モードは、モード開始のためにロック解除が必要なロックされた第１制御モードと、前記第１制御モードにおいて再度ロック解除を行うことでモード開始されるロックされた第２制御モードと、を含むことを特徴とする請求項１記載のマッサージ機。
【請求項３】
前記機能制御部は、モード開始のためにロック解除が必要なロックされた制御モード中にマッサージが終了すると、その制御モードから抜け出ることを特徴とする請求項１又は２に記載のマッサージ機。
【請求項４】
前記機能制御部は、モード開始のためにロック解除が必要なロックされた制御モードとなった後、マッサージ機の機能を不使用である時間が所定時間を超えると、その制御モードから抜け出ることを特徴とする請求項１〜３のいずれかに記載のマッサージ機。
【請求項５】
複数の前記制御モードは、電源をオンすることで開始されるとともに、モード開始にロック解除が不要な初期モードを含むことを特徴とする請求項１〜４のいずれかに記載のマッサージ機。
【請求項６】
モード開始のためにロック解除が必要なロックされた制御モードでは、子供に適したマッサージが行われる子供用のマッサージコースが実行可能であることを特徴とする請求項１〜５のいずれかに記載のマッサージ機。
【請求項７】
前記機能制御部は、ロックされた制御モードの実行回数を制限する制限手段を有していることを特徴とする請求項１〜６のいずれかに記載のマッサージ機。
【請求項８】
前記機能制御部は、モード開始のためにロック解除が必要なロックされた制御モードにおけるマッサージが終了して当該制御モードから抜け出た後、再度ロックが解除されても所定時間が経過するまでは当該制御モードへの移行を規制する請求項１〜７のいずれかに記載のマッサージ機。
【発明の詳細な説明】
【技術分野】
【０００１】
本発明は、マッサージ機に関するものである。
【背景技術】
【０００２】
従来、使用者にマッサージ動作を与えるマッサージ機として、座部と背凭れ部とを有する椅子型のものがある。このマッサージ機は、施療を行うための施療子を例えば背凭れ部や座部に設けた構造とされており、内蔵する複数のモータの駆動の組み合わせにより、施療子に複数の動作（例えば揉み動作、叩き動作、施療部位の変更等）を選択的に行わせることを可能としたものが知られている。
【発明の開示】
【発明が解決しようとする課題】
【０００３】
上記のようなマッサージ機は、マッサージ部の機能制御のための複数の制御モードを有しており、操作機の操作ボタンを押すことで、誰でも当該各制御モードへモードを移行させることができる。しかし、子供等の特定の使用者が操作ボタンを間違うことで対応しないマッサージが行われてしまうというという欠点がある。
本発明は上記の従来の問題点に鑑み、子供等の特定の使用者に、その者に対応しないマッサージが行われてしまうことがないマッサージ機を提供することを目的としている。
【課題を解決するための手段】
【０００４】
上記目的を達成するために、本発明は次の技術的手段を講じた。すなわち本発明は、マッサージ機が有する機能を制御する機能制御部を備えたマッサージ機において、前記機能制御部は、前記機能の制御のための複数の異なる制御モードを有し、複数の前記制御モードは、モード開始のためにロック解除が必要なロックされた制御モードを含むことを特徴とする。
上記本発明のマッサージ機によれば、複数の前記制御モードは、モード開始のためにロック解除が必要なロックされた制御モードを含んでいるので、ロックされた制御モードへは、ロック解除できる使用者しかモードを移行させることができない。
【０００５】
上記本発明において、複数の前記制御モードは、モード開始のためにロック解除が必要なロックされた第１制御モードと、前記第１制御モードにおいて再度ロック解除を行うことでモード開始されるロックされた第２制御モードと、を含むことが好ましい。
この場合、一回ロックを解除すれば第１制御モードへモードが移行され、二回ロックを解除すれば、第２制御モードへモードが移行される。
【０００６】
上記本発明において、前記機能制御部は、モード開始のためにロック解除が必要なロックされた制御モード中にマッサージが終了すると、その制御モードから抜け出ることが好ましい。
この場合、例えば上記第１、第２制御モードが終了すると、使用者が全く操作しなくてもそれらの制御モードから自動的に抜けることができる。
【０００７】
上記本発明において、前記機能制御部は、モード開始のためにロック解除が必要なロックされた制御モードとなった後、マッサージ機の機能を不使用である時間が所定時間を超えると、その制御モードから抜け出ることが好ましい。
この場合、使用者が所定時間の間、マッサージ機の機能を使用しなかったとき、制御モードによるマッサージが自動的に停止される。
【０００８】
上記本発明において、複数の前記制御モードは、電源をオンすることで開始されるとともに、モード開始にロック解除が不要な初期モードを含むことが好ましい。
この場合、例えば上記第１、第２制御モードの前に、ロック解除が不要な初期モードが設定される。
【０００９】
上記本発明において、モード開始のためにロック解除が必要なロックされた制御モードでは、子供に適したマッサージが行われる子供用のマッサージコースが実行可能であることが好ましい。
この場合、ロックを解除した使用者のみが子供用のマッサージを受けることができる。
【００１０】
上記本発明において、前記機能制御部は、ロックされた制御モードの実行回数を制限する制限手段を有していることが好ましい。
この場合、ロック解除される回数が制限されているので、例えば子供によるロック解除操作が何回かあっても、制御モードを利用できる回数が制限される。
【００１１】
上記本発明において、前記機能制御部は、モード開始のためにロック解除が必要なロックされた制御モードにおけるマッサージが終了して当該制御モードから抜け出た後、再度ロックが解除されても所定時間が経過するまでは当該制御モードへの移行を規制することが好ましい。
この場合、当該制御モードでマッサージが行われて当該制御モードから抜け出た後、再度ロックが解除されても所定時間が経過しないとモードが当該制御モードへ移行できないので、子供等の特定の使用者に過度のマッサージが行われてしまうことが防止される。
【発明の効果】
【００１２】
以上の通り、本発明によれば、複数の前記制御モードは、モード開始のためにロック解除が必要なロックされた制御モードを含んでおり、ロックされた制御モードへは、ロック解除できる使用者しかモードを移行させることができないので、子供等の特定の使用者に、その者に対応しないマッサージが行われてしまうことがない。
【発明を実施するための最良の形態】
【００１３】
以下に、本発明の実施の形態について図面を参照しながら説明する。図１は、本発明の一実施形態であるマッサージ機１の側面図である。このマッサージ機１は、マッサージ機本体Ｈと、使用者へマッサージ動作を与えるマッサージ部Ｍと、マッサージ機１が有する機能を制御する機能制御部１３とを備えている。また、マッサージ機本体Ｈは、着座した使用者ｈ（二点鎖線で示す）の背中及び頭部を支持しうる背もたれ部２と、着座した使用者ｈの尻部及び太股部を支持しうる座部３と、座部３の左右両側に配置され使用者ｈの肘及び前腕部を支持しうる肘掛け部４と、座部３の前側に脚を施療することのできるフットレスト５とを備えている。
【００１４】
背もたれ部２の内部には、マッサージ部Ｍとしてのマッサージユニット６が設けられている。当該マッサージユニット６は、背もたれ部２の内部において、図示しない左右一対のガイドレールに沿って図示しない駆動機構によって上下方向に昇降自在とされている。このマッサージユニット６には、図示しない揉み玉からなる施療子と、施療子に揉み、叩き、指圧等のマッサージ動作をさせる動作手段が設けられている。さらに、背もたれ部２の左右両側、座部３及びフットレスト５には、マッサージ部Ｍとして、図示しないエアユニットと接続されエアの吸排気によって膨張収縮するエアセル７が設けられており、使用者ｈにマッサージを施すことができる。さらに、背もたれ部２、座部３には、マッサージ部Ｍとしてバイブレータｅが設けられており、使用者ｈに振動によるマッサージ、指圧等を施すことができる。
【００１５】
フットレスト５は、座部３の前部で当該座部３に対して回動可能、かつ当該座部３に接離可能に設けられており、使用者ｈの脚の長さに合わせて伸縮できるようになっている。また、背もたれ部２は、マッサージ機１の左右両側に設けられた脚部１１により傾動可能に支持されている。さらに、椅子型マッサージ機１は、背もたれ部２の傾倒角度を変化させるためのリクライニング機構ｒを有している。
【００１６】
図１は、リクライニング機構ｒによって変動しうる背もたれ部２の角度範囲のうち、背もたれ部２が最も起立した状態とされた図であり、図２は、背もたれ部２が最も倒れた状態の図である。リクライニング機構ｒの詳細な説明は省略するが、当該機構ｒは、電動モータ１０により伸縮駆動するアクチュエータ１２を備えており、このアクチュエータ１２の伸縮によりリクライニング動作が行われる。すなわち、アクチュエータ１２が伸びるほど背もたれ部２が起立した状態となり、アクチュエータ１２が縮むほど背もたれ部２が倒れた状態となる。このようなリクライニング機構ｒにより、椅子型マッサージ機１では、アクチュエータ１２の伸縮により背もたれ部２と座部３とのなす角度が変化して、所定の角度範囲でリクライニング動作が可能とされている。
【００１７】
また、マッサージ機１は、フットレスト５を脚の長さ方向に伸縮させる伸縮機構、及び背もたれ部２の傾動と連動してフットレスト５の座部３に対する傾斜角度を変化させる図示しない角度連動機構を有している。当該伸縮機構により、使用者ｈの脚の長さに応じてフットレスト５が脚の長さ方向に伸縮できるようになっている。また、角度連動機構により背もたれ部２の傾斜角度を、最も起立した状態から最も倒れた状態まで変化させる場合、最も起立した状態ではフットレスト５の座部３に対する角度は最も大きく、使用者ｈは座った状態となり、最も倒れた状態ではフットレスト５の座部３に対する角度は最も小さく、使用者ｈは寝ころんだ状態となる。また、当該角度連動機構は、背もたれ部２の傾動の初期段階では背もたれ部２の傾斜角度変化に対するフットレスト５の傾斜角度変化が比較的大きくされており、最も倒れた状態に近づくにつれてフットレスト５の傾斜角度変化が少なくなるように設定されており、使用者ｈが、楽な姿勢のままでリクライニングできるようになっている。
【００１８】
マッサージ機１には、マッサージユニット６、エアセル７、バイブレータｅ、及びリクライニング機構ｒ、伸縮機構、角度連動機構を動作せるための、マイクロコンピュータ等からなる機能制御部１３が設けられている。この機能制御部１３は、座部３の下方に設けられており、使用者ｈが操作する図３に示す操作機１５と接続されて、使用者ｈが当該操作機１５の操作ボタンを選択することで、各種マッサージ動作が行われる。操作機１５は、肘掛け部４に設けられたホルダ１６によって着脱自在に支持されている。
【００１９】
操作機１５は、使用者ｈが手に持って操作可能な手持ち式であり、ホルダ１６に保持させたまま操作してもよいし、手に持って操作してもよい。操作機１５は、その操作面１５１には、電源のオン・オフ操作を行うための電源ボタンｂ１、停止ボタンｂ２、肩位置調整ボタンｂ１９、数字入力ボタンｂ３、エアー強さ調整ボタンｂ４が設けられている。また、操作面１５１は、開閉部１７によって一部開閉式となっており、当該開閉部１７の表面には、リクライニングボタンｂ７、フットレストボタンｂ８、フットスライドボタンｂ９、マッサージ解除ボタンｂ１０、バイブ解除ボタンｂ１１、ＢＧＭボタンｂ１２、ヒータボタンｂ１３、更に、各種のマッサージコースボタンｂ５、ｂ６が設けられている。また、開閉部１７を開けた状態の操作面１５２には、主にマッサージ動作を手動選択するための、リクライニングボタンｂ１４、マッサージ動作の指示ボタンｂ１５、マッサージ動作の速さ、位置調整ボタンｂ１６、エアセルによるエアマッサージボタン、バイブレーションボタンｂ１７が設けられている。また、操作面１５１には、表示部１８が設けられており、操作に関連した表示又はその他必要な表示を文字や図形等によって電子的に表示可能とされている。また、操作面１５１には、スピーカーＳが設けられており、マッサージ動作の内容に関する音声ガイドや、音楽等の出力が可能とされている。また、使用者は、数字入力ボタンｂ３を押すことによりパスワードが設定できるようになっている。
【００２０】
上記各マッサージ部６，７、ｅが有する機能を制御する制御モードは複数用意されており、当該制御モードによりマッサージ部６，７、ｅを動作させるための動作プログラムが機能制御部１３に設けられたＲＡＭ、ＲＯＭからなる記憶部に記憶されている。そして、使用者ｈは、操作機１５の各操作ボタンを押して、機能制御部１３がマッサージ部６，７，ｅや各種駆動機構を動作させる。さらに、前記機能制御部１３は、マッサージ機１の全機能のうち使用者が利用可能な機能が一部異なる複数の制御モードを有しており、当該複数の制御モードには、マッサージ機１のすべての機能を使用者が利用できる第１制御モード（又は第２制御モード）としてのフル機能制御モード２１と、フル機能制御モード２１において使用者が利用可能な機能のうちの一部の機能が制限された第２制御モード（又は第１制御モード）としての機能限定制御モード２０とからなっている（図４参照）。また、機能制御部１３は、マッサージ部６，７、ｅが所定の手順で動作するマッサージコースを複数種類実行可能に構成されている。
【００２１】
上記フル機能制御モード２１では、使用者ｈは背もたれ部２のマッサージユニット６や、背もたれ部２、座部３、フットレスト５のエアセル７や、バイブレータｅ、及びリクライニング機構ｒ、伸縮機構、角度連動機構に関してそれらの機能の作動可能な範囲を全て選択できるようになっている。なお、当該機能とは、例えばマッサージユニット６、エアセル７、及びバイブレータｅではマッサージ動作の内容、マッサージ時間、及びマッサージ強さ、振動強度等のことをいい、リクライニング機構、伸縮機構、及び角度連動機構では、それぞれ背もたれ部２の座部３に対する角度、フットレスト５の長さ、背もたれ部２の傾斜角度変化に対するフットレスト５の傾斜角度変化度合い等をいう。当該フル機能モード２１では、使用者ｈがマッサージユニット６等の各機能を手動選択するほか、同使用者ｈによって選択されるマッサージコースが設けられている。
【００２２】
上記機能限定制御モード２０では、使用者ｈは背もたれ部２のマッサージユニット６や、背もたれ部２、座部３、フットレスト５のエアセル７や、バイブレータｅ、及びリクライニング機構ｒ、伸縮機構、及び角度連動機構に関してそれらの機能の作動可能な範囲のうち一部のみを選択できるようになっている。つまり、機能限定制御モード２０では、マッサージ部６，７，ｅにおける例えばマッサージ動作の内容及びマッサージ時間がフル機能制御モード２１よりも制限されており、使用者の身体に与える刺激がフル機能モード２１よりも軽くなっている。つまり、当該フル機能モード２１では、ソフトな刺激を与えるマッサージ動作及び短いマッサージ時間で子供や高齢者にマッサージが行われる。
【００２３】
また、機能限定制御モード２０では、使用者の操作による背もたれ部２及びフットレスト５の傾斜角度の変更が制限されており、自動制御による背もたれ部２及びフットレストの傾斜角度の変更が行われると、使用者の操作による背もたれ部及びフットレストの傾斜角度の変更ができないようになっている。なお、機能限定制御モード２０で背もたれ部２のみ又はフットレスト５のみの傾斜角度の変更を制限してもよい。また、当該機能限定制御モード２０には、使用者ｈによって選択される各種のマッサージコースが設定されている。また、機能限定制御モード２０では、子供に適した音声ガイドや音楽がスピーカーＳから出力される。また、フル機能限定モード２１でも、音声ガイドや音楽がスピーカーＳから出力されるようにしてもよく、この場合、機能限定制御モード２０の場合と異なる音声ガイドや音楽がスピーカーＳから出力される。例えば、機能限定制御モード２０では、子供に適した口調で音声ガイドが出力されると共に、子供に適したポップな音楽が出力され、フル機能限定モード２１では、大人に適した口調で音声ガイドが出力されると共に、大人に適したクラシック音楽が出力される。
【００２４】
図４（ａ）、及び（ｂ）は、各制御モード２０，２１のフローチャートである。本実施形態のフル機能制御モード２１には、全身疲労回復コース２１２、子供に適したマッサージ動作が行われる子供コース（１）２０２、子供コース（２）２０３が設定されている。図５は、各子供コース２０２，２０３の流れを説明するブロック図である。各子供コース２０２、２０３が選択され、マッサージ部６，７，ｅがマッサージ動作を開始すると、複数の操作ボタンの全部又は一部がマッサージ動作の停止用ボタンに切り替わり、ボタン機能変更２０４が行われる。具体的には、子供コース２０２，２０３以外では、マッサージ動作を停止する際には停止ボタンｂ２を押せばよいが、当該子供コース２０２，２０３が選択され、マッサージ動作が開始されると、例えば、操作面１５１の停止ボタンｂ２以外のマッサージコースボタンｂ５，ｂ６、リクライニングボタンｂ７、フットレストボタンｂ８等の全てが停止用ボタンに切り替わる。なお、マッサージ動作が開始されると、例えば、操作面１５１の停止ボタンｂ２以外のマッサージコースボタンｂ５，ｂ６だけ等、一部の操作ボタンが停止用ボタンに切り替わるようにしてもよい。これにより、子供が咄嗟にマッサージを止めたいときに、操作ボタンを選ばなくても確実にマッサージ動作を止めることができる。次に、リクライニング機構ｒによる背もたれ部２の倒れ２０５が行われ、子供用のマッサージ動作２０６が開始される。なお、マッサージ動作が開始されると、使用者ｈは背もたれ部２の操作をできなくなる。マッサージ動作が終了すると、リクライニング機構ｒによる背もたれ部２の戻り２０７が行われる。
【００２５】
従って、使用者ｈは、電源オンした後、初期状態３０でまずロックを解除し、フル機能制御モード２１へ移行した後、マッサージコースボタンｂ５、ｂ６を押すことによりコース選択２１１を行い、上記各コースが選択される。また、当該フル機能制御モード２１では、手動操作による自由選択２１３も可能となっており、使用者ｈは、フル機能制御モード２１へ移行した後、リクライニングボタンｂ１４、マッサージ動作の指示ボタンｂ１５、マッサージ動作の速さ、位置調整ボタンｂ１６、エアセルによるエアマッサージボタン、バイブレーションボタンｂ１７等を押すことにより好みのマッサージを受けることができ、ＢＧＭボタンｂ１２を押すことにより音楽を聴くことができ、更に、ヒータボタンｂ１３を押すことにより、座部３や背もたれ部２が暖められる。一方、機能限定制御モード２０には、子供コース（１）２０２、子供コース（２）２０３だけが設定されており、その他のマッサージコースが選択不可となっている。
【００２６】
上記各制御モード２０，２１への流れを図６で説明する。本実施形態の制御モードには、上記各制御モードのほか、電源をオンすることで開始される初期モード１９が設定されている。この初期モード１９では、モード開始にロック解除が不要であり、かつ軽微なマッサージ動作（例えば、バイブレータｅによる振動マッサージ、強度を弱く設定したエアセル７によるエアマッサージ等）が可能となっているほか、マッサージ機１に設けられた図示しない音響機器や操作機１５のスピーカーＳにより音楽を聴くことができ、リクライニング機構ｒにより一定角度までのリクライニングが可能であり、ヒーターにより背もたれ部２や座部３を暖めることができるようになっている。
【００２７】
マッサージ機１の電源をオンにすると初期モード１９となり、更に、使用者ｈが、数字入力ボタンｂ３を押して予め設定されたパスワード入力するとロック解除Ｌ１が行われ、機能限定制御モード２０にモードが移行される。使用者ｈが、さらに別のパスワード入力をしてロック解除Ｌ２を行うと、モードがフル機能制御モード２１に移行される。従って、当該各制御モード２０，２１は、モード開始のためにロック解除が必要となっている。そして、各制御モード２０，２１のマッサージが終了すると、各制御モードから抜け出て、初期モード１９へ戻る。なお、図６の波線に示すように、フル機能制御モード２１のマッサージが終了すると、機能限定制御モード２０にモードに移行されるようにしてもよい。また、ロック解除が不要な初期モードを、機能限定制御モード２０としてもよい。この場合、電源をオンにするとロック解除を行わなくても当該機能限定制御モード２０に移行可能となる。また、図６の一点鎖線に示すように、初期モード１９時において更に別のパスワード入力によるロック解除Ｌａ３が行われると、機能限定モード２０をとばして、フル機能制御モード２１へ移行できるようにしてもよい。
【００２８】
また、ロック解除のためのパスワードの登録は、図７に示すように初期モード１９において、例えば父・母は、フル機能制御モード２１にモード移行させるための各自で決めた数値をパスワードとして入力し、子供１、子供２は、機能限定制御モード２０にモードを移行させるための各自で決めた数値をパスワードとして入力して行われる。そして、初期モード１９において、子供１、子供２のパスワードが入力されロック解除Ｌ１が実行されることで機能限定制御モード２０にモードが移行し、さらに、父・母のパスワードが入力されもう一度ロック解除Ｌ２が実行されることでフル機能制御モード２１にモードが移行する。
【００２９】
また、モードがフル機能制御モード２１及び機能限定制御モード２０となった後、マッサージ機１の機能を不使用である時間が所定時間を超えると、各制御モード２０，２１からモードが抜け出るようになっている。これにより、使用者ｈが所定時間の間、マッサージ機の機能を使用しなかったとき、制御モードによるマッサージが自動的に停止される。
また、機能制御部１３は、ロックされた各制御モード２０，２１の実行回数を制限するようになっている。これにより、各制御モード２０，２１のロック解除される回数が制限されるので、例えば子供によるロック解除回数が制限された回数を超えると、機能限定制御モード２０が利用できなくなる。
【００３０】
上記本実施形態のマッサージ機１によれば、複数の制御モードは、モード開始のためにロック解除が必要なロックされたフル機能制御モード２１及び機能限定制御モード２０からなるので、これらの各制御モード２０，２１へは、ロック解除できる使用者しかモードを移行させることができない。従って、子供等の特定の使用者が、操作ボタンを間違うことでその者に対応しないマッサージが行われてしまうことがない。
【００３１】
図８は、本発明の第二実施形態を示している。本実施形態が上記実施形態と異なる点は、機能制御部１３は、機能限定制御モード２０やフル機能制御モード２１におけるマッサージが終了して当該各制御モード２０，２１から抜け出て初期モード１９へ戻り、再度ロックが解除されても所定時間が経過するまでは当該各制御モード２０，２１への移行規制３０がされる点である。電源がオンされて初期モード１９となりロック解除Ｌ１がされ、モードが機能限定制御モード２０へ移行され（１回目）、当該制御モード２０でのマッサージが終了すると初期モード１９へ戻る。そして、再度のロック解除Ｌ１を行っても、１回目の上記機能限定制御モード２０のマッサージが終了してから、所定時間（例えば、３〜４時間）が経過していないと、２回目の機能限定制御モード２０へ移行できないように移行規制３０がされる。また、フル機能モード２１でも同様であり、１回目のフル機能モード２１のマッサージが終了してから、所定時間が経過していないと、ロック解除Ｌ２が行われても、２回目のフル機能モード２１への移行規制３１がされる。これにより、子供が例えば機能限定制御モード２０の子供コース（１）２０２でマッサージを受けた後、所定時間が経過しないと、再度子供コース（１）２０２でのマッサージを受けることができないので、当該子供に過度のマッサージが行われてしまうことが防止される。
【００３２】
なお、上記実施形態はすべて例示であって制限的なものではない。本発明の技術的範囲は特許請求の範囲によって規定され、そこに記載された構成と均等の範囲内のすべての変更も本発明の技術的範囲に含まれる。例えば、複数の制御モードは、機能限定モード及びフル機能モードに限定されない。例えば、図９に示すように他のＡモード、Ｂモード、Ｃモード・・・・を設定して、ロックＬ１、Ｌ２、Ｌ３、Ｌ４・・・を解除する毎にモードが切り替わるようにしてもよい。また、上記実施形態では、マッサージ機を椅子型としたが、他の構成からなるマッサージ機に適用してもよい。
【図面の簡単な説明】
【００３３】
【図１】本発明の一実施形態であるマッサージ機の側面図である。
【図２】図１のマッサージ機の背もたれ部が最も倒れた状態の図である。
【図３】操作機の正面図である。
【図４】（ａ）はフル機能制御モードにおける各コースへのフローチャートであり、（ｂ）は機能限定制御モードにおける各コースへのフローチャートである。
【図５】子供コースのフローチャートである。
【図６】各制御モードへのフローチャートである。
【図７】ロック解除を行うためのパスワードの設定方法の説明図である。
【図８】本発明の第二実施形態に係る各制御モードへのフローチャートである。
【図９】他の制御モードを設定した場合のフローチャートである。
【符号の説明】
【００３４】
１    マッサージ機
２    背もたれ部
３    座部
４    肘掛け部
５    フットレスト
６    マッサージユニット
１３  制御部
１５  操作機
１９  初期モード
２０  機能限定制御モード
２１  フル機能制御モード
Ｌ１、Ｌ２、Ｌａ３  ロック解除
【図１】
2007325658.tif 000003
【図２】
2007325658.tif 000004
【図３】
2007325658.tif 000005
【図４】
2007325658.tif 000006
【図５】
2007325658.tif 000007
【図６】
2007325658.tif 000008
【図７】
2007325658.tif 000009
【図８】
2007325658.tif 000010
【図９】
2007325658.tif 000011